(57)【要約】      （修正有）【課題】キーボードを２つに分割可能に構成して小型化を図った携帯容易な電子機器を提供する。【解決手段】キーボードＰＣ１００は、演算ユニットと、入力ユニット１２０と、出力ユニット１３０と、筐体ユニット１６０と、を有する。演算ユニットは、演算を行う。入力ユニット１２０は、演算ユニットにデータを入力するためのキー１２１を備える。出力ユニット１３０は、演算ユニットによって演算された映像を含む情報を外部の表示機器に出力する出力端子を備える。筐体ユニット１６０は、演算ユニットと出力ユニット１３０を保持し、入力ユニット１２０を分割して開閉可能に接続された第１保持部１６１と第２保持部１６２を備える。【選択図】図１Ａ
2020067958.tif 000002
【特許請求の範囲】
【請求項１】
演算を行う演算ユニットと、
前記演算ユニットにデータを入力するためのキーを備えた入力ユニットと、
前記演算ユニットによって演算された映像を含む情報を外部の表示機器に出力する出力端子を備えた出力ユニットと、
前記演算ユニットと前記出力ユニットを保持し、前記入力ユニットを分割して開閉可能に接続された、少なくとも第１保持部と第２保持部を備えた筐体ユニットと、を有する電子機器。
【請求項２】
前記第１保持部と前記第２保持部の少なくとも一方は、閉じられた状態の外面上において、前記演算ユニットを少なくとも起動又は停止させる操作部を備えた、請求項１記載の電子機器。
【請求項３】
前記入力ユニットは、タッチパッドを備えた、請求項１記載の電子機器。
【請求項４】
前記演算ユニットと接続され、電波を送受信可能なアンテナエレメントを備えたアンテナユニットを更に有し、
前記第１保持部と前記第２保持部の少なくとも一方は、最外部から離れた位置に前記アンテナエレメントを保持した、請求項１記載の電子機器。
【請求項５】
前記第１保持部と前記第２保持部の少なくとも一方は、前記第１保持部と前記第２保持部が開いた状態で対向し、閉じた状態で露出する対向面に、前記演算ユニットと電気的に接続され、外部の記録媒体を挿入可能な挿入部を備えた、請求項１記載の電子機器。
【請求項６】
前記第１保持部と前記第２保持部の少なくとも一方は、ユーザの生体情報による認証に基づいて前記演算ユニットを少なくとも起動又は停止させる生体認証センサーを備えた、請求項１記載の電子機器。
【請求項７】
前記演算ユニットと接続され、電波を送受信可能なアンテナエレメントを備えたアンテナユニットを更に有し、
前記第１保持部と前記第２保持部の少なくとも一方は、前記演算ユニットの少なくとも一部と重ならない外縁の位置に前記アンテナエレメントを保持した、請求項１記載の電子機器。
【請求項８】
前記第１保持部と前記第２保持部の一方に保持され、前記演算ユニットに電力を供給する電源ユニットを更に有し、
前記第１保持部と前記第２保持部の他方に、前記演算ユニットが保持された、請求項１記載の電子機器。
【請求項９】
前記第１保持部と前記第２保持部の一方にスペースキーを備え、前記第１保持部と前記第２保持部の他方にタッチパッドを備え、
前記スペースキーと前記タッチパッドは、前記第１保持部と前記第２保持部が開いた状態で、前記第１保持部と前記第２保持部の接続部を中心として隣り合って位置する、請求項１記載の電子機器。
【請求項１０】
前記第１保持部と前記第２保持部の少なくとも一方は、前記第１保持部と前記第２保持部が開いた状態で対向する側面の部分、又は前記第１保持部と前記第２保持部が閉じた状態で対向する上面の部分に、前記第１保持部と前記第２保持部の開閉状態を検出する開閉センサーを備えた、請求項１記載の電子機器。
【請求項１１】
前記第１保持部と前記第２保持部の少なくとも一方の側面には、使用時のユーザ位置に対して、奥側に高精細度マルチメディアインターフェース用の端子が備えられ、手前側に音声用の端子が備えられた、請求項１記載の電子機器。
【請求項１２】
前記第１保持部と前記第２保持部は、前記第１保持部と前記第２保持部が開いた状態で、中央よりも両端の高さ方向の厚みが薄く形成された、請求項１記載の電子機器。
【請求項１３】
前記第１保持部と前記第２保持部の少なくとも一方は、前記第１保持部と前記第２保持部が開いた状態で対向する側面の部分に、弾性変形可能な緩衝部材を備えた、請求項１記載の電子機器。
【請求項１４】
前記第１保持部と前記第２保持部の一方に、保持された前記演算ユニットに電力を供給する電源ユニットを更に有し、
前記電源ユニットを保持する前記一方は、前記電源ユニットの大きさに応じて形状が異なる筐体を備えた、請求項１記載の電子機器。
【請求項１５】
前記第１保持部と前記第２保持部は、Ｇの信号を前記演算ユニットに入力可能な前記キーと、Ｈの信号を前記演算ユニットに入力可能な前記キーとの隙間を境にして、前記入力ユニットを分割して開閉可能に接続された、請求項１記載の電子機器。
【請求項１６】
前記第１保持部と前記第２保持部は、前記第１保持部と前記第２保持部の接続部で前記キーを跨がずに開閉される、請求項１記載の電子機器。
【請求項１７】
前記第１保持部と前記第２保持部は、前記第１保持部と前記第２保持部の接続部で前記キーを跨いで開閉される、請求項１記載の電子機器。
【請求項１８】
前記出力端子は、ｔｙｐｅ−Ｃのユニバーサル・シリアル・バスに対応した、請求項１記載の電子機器。
【請求項１９】
前記演算ユニットは、前記出力ユニットを介して前記表示機器の構成を認識し、前記表示機器の電気的な仕様に合せた形態で前記情報を出力する、請求項１記載の電子機器。
【請求項２０】
前記演算ユニットは、前記出力ユニットを介して前記表示機器の構成を認識し、前記表示機器の対応するアプリケーションに合せた形態で前記情報を出力する、請求項１記載の電子機器。
【発明の詳細な説明】
【技術分野】
【０００１】
本発明の実施形態は、電子機器に関する。
【背景技術】
【０００２】
キーボードを２つに分割可能に構成して、小型化を図る技術が知られている。この技術を用いても、ディスプレイのような表示装置に対して映像を含む情報を出力するために、別途、演算ユニットを備えたパソコン本体が必要になる。
【先行技術文献】
【特許文献】
【０００３】
【特許文献１】実用新案登録３２０４２４４号公報
【発明の概要】
【発明が解決しようとする課題】
【０００４】
本発明の目的は、携帯容易な電子機器を提供することである。
【課題を解決するための手段】
【０００５】
実施形態に係る電子機器は、演算ユニットと、入力ユニットと、出力ユニットと、筐体ユニットと、を有している。前記演算ユニットは、演算を行う。前記入力ユニットは、前記演算ユニットにデータを入力するためのキーを備えている。前記出力ユニットは、前記演算ユニットによって演算された映像を含む情報を外部の表示機器に出力する出力端子を備えている。前記筐体ユニットは、前記演算ユニットと前記出力ユニットを保持し、前記入力ユニットを分割して開閉可能に接続された、少なくとも第１保持部と第２保持部を備えている。
【図面の簡単な説明】
【０００６】
【図１Ａ】第１実施形態のキーボードＰＣ１００を開いた状態で左側Ｄｗ２を視認できるように示す斜視図である。
【図１Ｂ】図１Ａの配置のキーボードＰＣ１００を閉じた状態で示す斜視図である。
【図２Ａ】キーボードＰＣ１００を開いた状態で右側Ｄｗ１を視認できるように示す斜視図である。
【図２Ｂ】図２Ａの配置のキーボードＰＣ１００を閉じた状態で示す斜視図である。
【図３】キーボードＰＣ１００を上方Ｄｈ１から下方Ｄｈ２に向かって示す上面図である。
【図４】キーボードＰＣ１００を下方Ｄｈ２から上方Ｄｈ１に向かって示す下面図である。
【図５】キーボードＰＣ１００を手前側Ｄｄ１から奥側Ｄｄ２に向かって示す正面図である。
【図６】キーボードＰＣ１００の内部を透かした状態で示す上面図である。
【図７】キーボードＰＣ１００の使用方法を示す模式図である。
【図８Ａ】キーボードＰＣ１００の使用形態１であって、不特定の人々が利用している施設内においてキーボードＰＣ１００が使用されている状態を示す模式図である。
【図８Ｂ】キーボードＰＣ１００の使用形態２であって、不特定の人が乗車している電車内においてキーボードＰＣ１００が使用されている状態を示す模式図である。
【図８Ｃ】キーボードＰＣ１００の使用形態３であって、不特定の人が通行している道路においてキーボードＰＣ１００が衣服に収容された状態で歩行中に使用されている状態を示す模式図である。
【図９】実施形態の変形例１であって、キーを跨いで２つ折り可能なキーボードＰＣ２００を示す斜視図である。
【図１０】実施形態の変形例２であって、右側と左側を中央に折り畳むように３つ折り可能なキーボードＰＣ３００を示す斜視図である。
【発明を実施するための形態】
【０００７】
以下、実施の形態について図面を参照して説明する。なお、開示はあくまで一例にすぎず、以下の実施形態に記載した内容により発明が限定されるものではない。当業者が容易に想到し得る変形は、当然に開示の範囲に含まれる。説明をより明確にするため、図面において、各部分のサイズ、形状等を実際の実施態様に対して変更して模式的に表す場合もある。複数の図面において、対応する要素には同じ参照数字を付して、詳細な説明を省略する場合もある。図面において、キーボードＰＣ１００の横幅方向Ｄｗ（右側Ｄｗ１、左側Ｄｗ２）、奥行方向Ｄｄ（手前側Ｄｄ１、奥側Ｄｄ２）及び高さ方向Ｄｈ（上方Ｄｈ１、下方Ｄｈ２）を矢印で示している。
【０００８】
図１から図６を参照して、実施形態のキーボードＰＣ１００の構成を説明する。
【０００９】
キーボードＰＣ１００（請求項では電子機器と称する）は、演算ユニット１１０、入力ユニット１２０、出力ユニット１３０、アンテナユニット１４０、電源ユニット１５０、及び筐体ユニット１６０を有している。キーボードＰＣ１００を構成している演算ユニット１１０から筐体ユニット１６０について順に説明する。
【００１０】
演算ユニット１１０は、図６に示すように、演算を行うユニットである。
【００１１】
演算ユニット１１０は、ＲＯＭ（Ｒｅａｄ  Ｏｎｌｙ  Ｍｅｍｏｒｙ）、ＣＰＵ（Ｃｅｎｔｒａｌ  Ｐｒｏｃｅｓｓｉｎｇ  Ｕｎｉｔ）及びＲＡＭ（Ｒａｎｄｏｍ  Ａｃｃｅｓｓ  Ｍｅｍｏｒｙ）等を実装した基板等を備えている。演算ユニット１１０は、出力ユニット１３０を介してウェアラブル表示機器５００（図７に示す。請求項では外部の表示機器と称する）の構成を認識し、ウェアラブル表示機器５００の電気的な仕様に合せた形態で情報を出力する。演算ユニット１１０は、出力ユニット１３０を介してウェアラブル表示機器５００の構成を認識し、ウェアラブル表示機器５００の対応するアプリケーションに合せた形態で情報を出力する。演算ユニット１１０は、例えば、第２保持部１６２の内部に保持されている。
【００１２】
入力ユニット１２０は、図１Ａ、図２Ａ、図３、図５及び図６に示すように、ユーザによって入力等の操作が行われるユニットである。
【００１３】
入力ユニット１２０は、演算ユニット１１０にデータを入力するための、例えば、機械式のキー１２１を備えている。キー１２１は、Ｇの信号を演算ユニット１１０に入力可能なキー１２１Ｇを含む、ユーザが左手で操作し易いものが、第２保持部１６２に設けられている。又、キー１２１は、Ｈの信号を演算ユニット１１０に入力可能なキー１２１Ｈを含む、ユーザが右手で操作し易いものが、第１保持部１６１に設けられている。換言すると、Ｇのキー１２１ＧとＨのキー１２１Ｈとの間隙を境にして、入力ユニット１２０が分割されている。入力ユニット１２０は、第１保持部１６１にスペースキー１２２を備え、第２保持部１６２にタッチパッド１２３を備えている。タッチパッド１２３は、ポインターを移動させたり、アプリケーションを開いたり閉じたりするために使用される。スペースキー１２２とタッチパッド１２３は、第１保持部１６１と第２保持部１６２が開いた状態で隣り合って位置している。
【００１４】
出力ユニット１３０は、図１Ａ、図２Ｂ及び図６に示すように、演算ユニット１１０によって演算された映像を含む情報をウェアラブル表示機器５００等に出力するユニットである。
【００１５】
出力ユニット１３０は、映像を含む情報を出力する出力端子１３０ａを備えている。出力端子１３０ａは、例えば、ｔｙｐｅ−ＣのＵＳＢ（Ｕｎｉｖｅｒｓａｌ  Ｓｅｒｉａｌ  Ｂｕｓ、ユニバーサル・シリアル・バス）に対応している。出力端子１３０ａは、例えば、第２保持部１６２の左側面１６２ｍに保持されている。出力端子１３０ａは、マウス等を接続してもよいし、給電用に使用してもよい。出力ユニット１３０は、後述するウェアラブル表示機器５００と、有線（ＨＤＭＩ（登録商標）やＵＳＢＴｙｐｅＣ等の規格が適用される）又は無線（ＷｉＦｉやＢｌｕｅｔｏｏｔｈ（登録商標）等の規格が適用される）で通信する。
【００１６】
アンテナユニット１４０は、図６に示すように、演算ユニット１１０と接続され電波によって外部とデータを送受信するユニットである。
【００１７】
アンテナユニット１４０は、演算ユニット１１０と接続され電波を送受信可能なＷｉＦｉアンテナ１４１及びＬＴＥアンテナ１４２（請求項ではアンテナエレメントと称する）を備えている。尚、ＷｉＦｉ及びＬＴＥは、それぞれ登録商標である。特に、ＬＴＥアンテナ１４２によって、いわゆる４Ｇ通信を使用するだけではなく５Ｇ通信を使用して、高速で低遅延のモバイルネットワーク通信を行う。Ｗｉ−Ｆｉ（Ｗｉｒｅｌｅｓｓ  Ｆｉｄｅｌｉｔｙ、ワイヤレス  フィデリィティ）アンテナ１４１は、図６に示すように、例えば、第２保持部１６２の左側Ｄｗ２の手前側Ｄｄ１と奥側Ｄｄ２に、１つずつ対向して収容されている。ＬＴＥ（Ｌｏｎｇ  Ｔｅｒｍ  Ｅｖｏｌｕｔｉｏｎ、ロングタームエボリューション）アンテナ１４２は、図６に示すように、例えば、第１保持部１６１の奥側Ｄｄ２に横幅方向Ｄｗに沿って２つ、第１保持部１６１の右側Ｄｗ１に１つ、及び第２保持部１６２の奥側Ｄｄ２に１つ収容されている。ＷｉＦｉアンテナ１４１及びＬＴＥアンテナ１４２は、第１保持部１６１又は第２保持部１６２において、演算ユニット１１０と重ならない外縁の位置に設けられている。
【００１８】
電源ユニット１５０は、図６に示すように、演算ユニット１１０等に電力を供給するユニットである。
【００１９】
電源ユニット１５０は、例えば、外部から入力された交流の電力を直流にすると共に電圧値等を調整する変換機、及び繰り返し充電可能なリチウムイオン二次電池から構成されている。電源ユニット１５０は、例えば、第１保持部１６１の内部に保持されている。
【００２０】
筐体ユニット１６０は、図１Ａから図６に示すように、演算ユニット１１０、入力ユニット１２０、出力ユニット１３０、アンテナユニット１４０、電源ユニット１５０を一体に保持するユニットである。
【００２１】
筐体ユニット１６０は、図１Ａ等に示すように、入力ユニット１２０を分割して開閉可能に接続された第１保持部１６１と第２保持部１６２、及び第１保持部１６１と第２保持部１６２を開閉可能に支持するヒンジ１６３によって構成されている。
【００２２】
第１保持部１６１と第２保持部１６２は、入力ユニット１２０のキー１２１を跨がずに開閉される。第１保持部１６１と第２保持部１６２は、第１保持部１６１と第２保持部１６２が開いた状態で、中央よりも両端の高さ方向の厚みが薄く形成されている。
【００２３】
第１保持部１６１には、図３等に示すように、入力ユニット１２０の右側の領域が、上面１６１ａに設けられている。第１保持部１６１には、図６に示すように、アンテナユニット１４０と電源ユニット１５０が収容されている。
【００２４】
第１保持部１６１には、図３等に示すように、第１保持部１６１と第２保持部１６２が閉じた状態で、第２保持部１６２に対して突き当てて入力ユニット１２０を保護する第１突当部１６１ｂが、上面１６１ａの右側Ｄｗ１に備えられている。
【００２５】
第１保持部１６１には、図１Ｂ等に示すように、弾性変形可能な第１緩衝部材１６１ｄが、第１保持部１６１と第２保持部１６２が開いた状態で対向する左側面１６１ｃの下方Ｄｈ２に備えられている。
【００２６】
第１保持部１６１には、図４等に示すように、脚部１６１ｆ（請求項では最外部と称する）が、下面１６１ｅに備えられている。脚部１６１ｆは、下面１６１ｅの奥側Ｄｄ２の右側Ｄｗ１から部分的に下方Ｄｈ２に突出するように設けられている。脚部１６１ｆは、ラバーフットやチルトスタンドによって構成する。
【００２７】
第２保持部１６２には、図３等に示すように、入力ユニット１２０の左側の領域が、上面１６２ａに設けられている。第２保持部１６２には、図６に示すように、演算ユニット１１０とアンテナユニット１４０が収容されている。
【００２８】
第２保持部１６２には、図３等に示すように、第１保持部１６１と第２保持部１６２が閉じた状態で、第１保持部１６１の第１突当部１６１ｂに対して突き当てて入力ユニット１２０を保護する第２突当部１６２ｂが、上面１６２ａの左側Ｄｗ２に備えられている。
【００２９】
第２保持部１６２には、図１Ｂ等に示すように、弾性変形可能な第２緩衝部材１６２ｄが、第１保持部１６１と第２保持部１６２が開いた状態で対向する右側面１６２ｃの下方Ｄｈ２に備えられている。第２緩衝部材１６２ｄは、第１保持部１６１と第２保持部１６２が開いた状態において、第１緩衝部材１６１ｄとの隙間を隔てて対向している。第１緩衝部材１６１ｄと第２緩衝部材１６２ｄは、第１保持部１６１と第２保持部１６２が１８０度を超えて開いたときに互いに突き当り、第１保持部１６１と第２保持部１６２の１８０度以上の回転を規制する。
【００３０】
第２保持部１６２には、図４等に示すように、脚部１６２ｆ（請求項では最外部と称する）が、下面１６２ｅに備えられている。脚部１６２ｆは、下面１６２ｅの奥側Ｄｄ２の左側Ｄｗ２から部分的に下方Ｄｈ２に突出するように設けられている。脚部１６２ｆは、ラバーフットやチルトスタンドによって構成する。
【００３１】
第２保持部１６２には、閉じられた状態において、演算ユニット１１０を起動及び停止させる外部タッチパッド１６２ｇ（図１Ｂ、図２Ｂ、図４に示す。請求項では操作部と称する）が、下面１６２ｅ（図１Ｂ、図２Ｂ、図４に示す。請求項では外面と称する）に備えられている。第２保持部１６２には、演算ユニット１１０と電気的に接続されＳＩＭを挿入可能なＳＩＭスロット用コネクター１６２ｈ（図１Ｂに示す。請求項では挿入部と称する）が、右側面１６２ｃ（請求項では対向面と称する）に備えられている。
【００３２】
第２保持部１６２には、ユーザの生体情報による認証に基づいて演算ユニット１１０を起動及び停止させるＣＣＤカメラ１６２ｉ（図１Ｂ、図２Ｂ、図４に示す）が、下面１６２ｅに備えられている。ＣＣＤカメラ１６２ｉは、演算ユニット１１０に接続されている。生体情報は、例えば、ユーザの顔、目の網膜、手の平の静脈等である。又、第２保持部１６２には、ＣＣＤカメラ１６２ｉ（図１Ａ、図１Ｂ、図２Ａ、図２Ｂ、図５に示す）と同様に、ユーザの生体情報による認証が可能な指紋センサー１６２ｋ（図１Ａ、図１Ｂ、図２Ａ、図２Ｂ、図５に示す）が、前面１６２ｊに備えられている。指紋センサー１６２ｋは、筐体ユニット１６０の開閉状態によらず、簡便に使用することができる。
【００３３】
第２保持部１６２には、第１保持部１６１と第２保持部１６２の開閉状態を検出する開閉センサー１６２ｌ（図１Ｂに示す）が、右側面１６２ｃに備えられている。開閉センサー１６２ｌは、例えば、光学センサーから構成され、第１保持部１６１の左側面１６１ｃが近接しているか否かを検出する。開閉センサー１６２ｌは、第２保持部１６２において、第１保持部１６１の上面１６１ａと第２保持部１６２の上面１６２ａが閉じた状態で対向する上面１６２ａの部分に備える構成としてもよい。
【００３４】
第２保持部１６２には、電源ボタン１６２ｎ（図１Ａ、図２Ｂに示す）が、左側面１６２ｍの（使用時のユーザ位置に対して）最も手前側Ｄｄ１に備えられている。第２保持部１６２には、高精細度マルチメディアインターフェース用のＨＤＭＩ（Ｈｉｇｈ−Ｄｅｆｉｎｉｔｉｏｎ  Ｍｕｌｔｉｍｅｄｉａ  Ｉｎｔｅｒｆａｃｅ、高精細度マルチメディアインターフェース）端子１６２ｐ（図１Ａ、図２Ｂに示す）が、左側面１６２ｍの（使用時のユーザ位置に対して）奥側Ｄｄ２に備えられている。ＨＤＭＩは、登録商標である。第２保持部１６２には、音声用のＨＰ端子１６２ｑ（図１Ａ、図２Ｂに示す）が、左側面１６２ｍの手前側Ｄｄ１に備えられている。
【００３５】
ヒンジ１６３は、図１から図６に示すように、第１保持部１６１と第２保持部１６２が隣り合う上方Ｄｈ１の境界部分を回転中心として、第１保持部１６１と第２保持部１６２を互いに開閉させる。
【００３６】
図７を参照して、キーボードＰＣ１００の使用方法を説明する。
【００３７】
ユーザは、キーボードＰＣ１００を、ケーブル５０１を介して接続されたウェアラブル表示機器５００に投影される映像を含む情報を目視しながら、入力ユニット１２０のキー１２１やタッチパッド１２３等を使用して操作することができる。
【００３８】
特に、ユーザは、外部の表示機器としてウェアラブル表示機器５００を使用することによって、秘匿性を伴うパソコン作業を行うことができる。換言すると、ユーザは、不特定の人々が存在する場所において、秘密情報を守りながら、パソコン作業を行うことができる。ここでいうパソコン作業とは、ユーザがディスプレス端末などをみながら、キーボードや、マウス、タッチパネルなどから入力操作を行うことによってコンピュータに演算処理を実行させることにより、仕事などを行う作業であって、ＶＤＴ（ビジュアル・ディスプレイ・ターミナル）作業とも称される作業である。
【００３９】
又、ユーザは、液晶ディスプレイ等を使用することによって、秘匿性を伴わないパソコン作業を会社の外部で行ったり、秘匿性を伴うパソコン作業を自宅や宿泊先のホテルで行ったりすることができる。
【００４０】
特に、本実施形態では、キーボードＰＣ１００、ウェアラブル表示機器５００（実視とＰＣ映像）及び５Ｇ通信（低遅延）を組み合わせることにより発揮される特徴を活かして、従来にない新たな使い方ができる。具体的には、例えば、スポーツ競技会場からの実況テキスト配信中継など、より正確でかつリアルタイム性が必要な状況の場合に、配信オペレータは、ウェアラブル表示機器５００に表示される映像画面と、ウェアラブル表示機器５００越しにみる競技自体を同時にみながら、遅延無くスポーツ実況のテキスト配信をリアルタイムで行うことができる。ユーザは、遅延無くリアルタイムで配信テキストを受信することができる。
【００４１】
図８Ａを参照して、キーボードＰＣ１００の使用形態１（不特定の人々が利用している施設内での使用）を説明する。
【００４２】
図８Ａに示すように、ユーザは、外部の表示機器としてウェアラブル表示機器５００を使用することによって、不特定の人々が利用している施設内において秘匿性を保って、キーボードＰＣ１００の操作をすることができる。施設は、シェアオフィス、喫茶店及び図書館等が想定される。ユーザは、携帯が容易なキーボードＰＣ１００を使用することによって、会社の外部であって不特定の人々が利用している施設において、秘密を保持する必要が有る業務を行うことができる。換言すると、ユーザは、会社の外部であるシェアオフィス等において秘匿性を保ちつつ、社内用や社外用の資料の作成等の通常の業務を行うことができる。
【００４３】
図８Ｂを参照して、キーボードＰＣ１００の使用形態２（不特定の人が乗車している電車内での使用）を説明する。
【００４４】
図８Ｂに示すように、ユーザは、外部の表示機器としてウェアラブル表示機器５００を使用することによって、不特定の人々が利用している電車内において秘匿性を保って、キーボードＰＣ１００の操作をすることができる。ユーザは、携帯が容易なキーボードＰＣ１００を使用することによって、会社の外部であって不特定の人々が乗車している電車において、秘密を保持する必要が有る業務を行うことができる。換言すると、ユーザは、会社の外部である車両内において秘匿性を保ちつつ、通勤中にメールの送受信の業務を行ったり、出張中にクライアントに提示する資料の修正等の業務を行ったりすることができる。
【００４５】
図８Ｃを参照して、キーボードＰＣ１００の使用形態３（不特定の人が通行している道路での使用）を説明する。
【００４６】
図８Ｃに示すように、ユーザは、外部の表示機器としてウェアラブル表示機器５００を使用することによって、不特定の人々が通行している道路において秘匿性を保って、キーボードＰＣ１００を使用することができる。ユーザは、キーボードＰＣ１００をズボンのポケット等に収容して搬送することができる。
【００４７】
実施形態のキーボードＰＣ１００の効果を説明する。
【００４８】
実施形態によれば、筐体ユニット１６０は、演算ユニット１１０と出力ユニット１３０を保持し、入力ユニット１２０を分割して開閉可能に接続された第１保持部１６１と第２保持部１６２を備えている。このような構成のキーボードＰＣ１００によれば、第１保持部１６１と第２保持部１６２を折り畳むように閉じた状態で搬送することができる。したがって、キーボードＰＣ１００を携帯容易に構成することができる。
【００４９】
実施形態によれば、第２保持部１６２は、閉じられた状態の外面（下面１６２ｅ）上において、演算ユニット１１０を起動及び停止させる外部タッチパッド１６２ｇを備えている。このような構成のキーボードＰＣ１００によれば、第１保持部１６１と第２保持部１６２が閉じられた状態であっても、起動させたり停止させたりすることができる。
【００５０】
実施形態によれば、入力ユニット１２０は、タッチパッド１２３を備えている。このような構成のキーボードＰＣ１００によれば、いわゆるマウスを別途用意することなく、タッチパッド１２３を使用して、ポインターを容易に移動させたり、アプリケーションを容易に開いたり閉じたりすることができる。
【００５１】
実施形態によれば、第１保持部１６１と第２保持部１６２は、最外部（脚部１６１ｆ及び脚部１６２ｆ）から離れた位置にＷｉＦｉアンテナ１４１及びＬＴＥアンテナ１４２を保持している。このような構成のキーボードＰＣ１００によれば、例えば、通信を阻害するような金属製のスチールデスクに対して脚部１６１ｆ及び脚部１６２ｆを接触させて載置していても、通信状態を良好に保つことができる。更に、脚部１６１ｆ及び脚部１６２ｆを設けることによって、入力ユニット１２０を緩やかに傾斜させて、ユーザがキー入力を行い易くすることができる。
【００５２】
実施形態によれば、第２保持部１６２は、第１保持部１６１と第２保持部１６２が開いた状態で対向し、閉じた状態で露出する対向面に、演算ユニット１１０と電気的に接続され、外部の記録媒体を挿入可能なＳＩＭスロット用コネクター１６２ｈを備えている。このような構成のキーボードＰＣ１００によれば、第１保持部１６１と第２保持部１６２が開いた状態で使用されているときにＳＩＭスロット用コネクター１６２ｈを誤って抜いてしまうことを防止でき、第１保持部１６１と第２保持部１６２が閉じた状態のときにＳＩＭスロット用コネクター１６２ｈを容易に着脱することができる。
【００５３】
実施形態によれば、第２保持部１６２は、ユーザの生体情報による認証に基づいて演算ユニット１１０を起動及び停止させるＣＣＤカメラ１６２ｉ（請求項では生体認証センサーと称する）を備えている。このような構成のキーボードＰＣ１００によれば、他人によって使用されることを防止できる。特に、図８Ａに示すように、不特定の人々が利用している施設内において、他人がキーボードＰＣ１００に触れて操作することを防止できる。
【００５４】
実施形態によれば、第１保持部１６１と第２保持部１６２は、演算ユニット１１０と重ならない外縁の位置にＷｉＦｉアンテナ１４１及びＬＴＥアンテナ１４２を保持している。このような構成のキーボードＰＣ１００によれば、演算ユニット１１０とＷｉＦｉアンテナ１４１及びＬＴＥアンテナ１４２との干渉を抑制して、通信状態を良好に保つことができる。
【００５５】
実施形態によれば、第１保持部１６１に例えば電源ユニット１５０が備えられ、第２保持部１６２に例えば演算ユニット１１０が備えられている。このような構成のキーボードＰＣ１００によれば、第１保持部１６１と第２保持部１６２を開閉可能に構成しても、従来のノートパソコンの仕様を大幅に設計変更することなく、構成部材である電源ユニット１５０と第２保持部１６２を保持することができる。
【００５６】
実施形態によれば、第１保持部１６１に例えばスペースキー１２２を備え、第２保持部１６２に例えばタッチパッド１２３を備えている。スペースキー１２２とタッチパッド１２３は、第１保持部１６１と第２保持部１６２が開いた状態で、第１保持部１６１と第２保持部１６２の接続部を中心として隣り合って位置している。このような構成のキーボードＰＣ１００によれば、ノートパソコン等のキーボードを操作する際に左手でキー入力し易い領域と右手でキー入力し易い領域との境となる中央部分に、スペースキー１２２とタッチパッド１２３を並べて配置することによって、ユーザによって操作し易くすることができる。
【００５７】
実施形態によれば、第２保持部１６２は、第１保持部１６１と第２保持部１６２が開いた状態で対向する側面（右側面１６２ｃ）の部分に、第１保持部１６１と第２保持部１６２の開閉状態を検出する開閉センサー１６２ｌを備えている。このような構成のキーボードＰＣ１００によれば、例えば、閉じられた状態で意図せずに動作することを防止できる。
【００５８】
実施形態によれば、第２保持部１６２の左側面１６２ｍには、使用時のユーザ位置に対して奥側に高精細度マルチメディアインターフェース用のＨＤＭＩ端子１６２ｐ（端子）が備えられ、手前側に音声用のＨＰ端子１６２ｑ（端子）が備えられている。このような構成のキーボードＰＣ１００によれば、ユーザが操作するときに、ＨＤＭＩ端子１６２ｐとＨＰ端子１６２ｑとの干渉を抑制することができる。
【００５９】
実施形態によれば、第１保持部１６１と第２保持部１６２は、第１保持部１６１と第２保持部１６２が開いた状態で、中央よりも両端の高さ方向の厚みが薄く形成されている。このような構成のキーボードＰＣ１００によれば、第１保持部１６１と第２保持部１６２が閉じられた状態において、折り畳まれた基端から先端に向かって厚みが薄くなり、持ち運びし易い。
【００６０】
実施形態によれば、第１保持部１６１と第２保持部１６２は、第１保持部１６１と第２保持部１６２が開いた状態で対向する側面の部分に、弾性変形可能な第１緩衝部材１６１ｄ及び第２緩衝部材１６２ｄを備えている。このような構成のキーボードＰＣ１００によれば、第１緩衝部材１６１ｄ及び第２緩衝部材１６２ｄを接触させて第１保持部１６１と第２保持部１６２の回転を規制することによって、反り返るように過度に開いて損傷することを抑制できる。
【００６１】
実施形態によれば、電源ユニット１５０を保持する第１保持部１６１は、電源ユニット１５０の大きさに応じて形状が異なる筐体を選択可能に構成されている。このような構成のキーボードＰＣ１００によれば、例えば、駆動時間を長くするために電池容量を増やして大型化させた電源ユニット１５０に容易に対応することができる。
【００６２】
実施形態によれば、第１保持部１６１と第２保持部１６２は、Ｇの信号を演算ユニット１１０に入力可能なキー１２１Ｇと、Ｈの信号を演算ユニット１１０に入力可能なキー１２１Ｈとの間隙を境にして、入力ユニット１２０を分割して開閉可能に接続されている。このような構成のキーボードＰＣ１００によれば、ユーザがノートパソコン等のキーボードを操作する際に左手でキー入力し易い領域と右手でキー入力し易い領域との境となる、Ｇのキー１２１ＧとＨのキー１２１Ｈとの間隙を境にして、入力ユニット１２０を分割することで、ユーザが視覚的に境となる中央部分を認識し易くなる。
【００６３】
実施形態によれば、第１保持部１６１と第２保持部１６２は、第１保持部１６１と第２保持部１６２の接続部でキー１２１を跨がずに開閉される。このような構成のキーボードＰＣ１００によれば、開閉可能に接続される第１保持部１６１と第２保持部１６２を、簡便な構成によって具現化することができる。
【００６４】
実施形態によれば、出力端子１３０ａは、ｔｙｐｅ−ＣのＵＳＢ（ユニバーサル・シリアル・バス）に対応している。このような構成のキーボードＰＣ１００によれば、映像出力に対応した汎用的な規格のｔｙｐｅ−ＣのＵＳＢを用いて、ウェアラブル表示機器５００等に映像を出力することができる。
【００６５】
実施形態によれば、演算ユニット１１０は、出力ユニット１３０を介してウェアラブル表示機器５００の構成を認識し、ウェアラブル表示機器５００の電気的な仕様に合せた形態で情報を出力する。このような構成のキーボードＰＣ１００によれば、電気的な仕様が異なる様々なウェアラブル表示機器５００に接続しても、それらのウェアラブル表示機器５００の電気的な仕様に合せた形態で、ウェアラブル表示機器５００に対して情報を出力させることができる。
【００６６】
実施形態によれば、演算ユニット１１０は、出力ユニット１３０を介してウェアラブル表示機器５００の構成を認識し、ウェアラブル表示機器５００の対応するアプリケーションに合せた形態で情報を出力する。このような構成のキーボードＰＣ１００によれば、対応するアプリケーションが異なる様々なウェアラブル表示機器５００に接続しても、それらのウェアラブル表示機器５００のアプリケーションに合せた形態で、ウェアラブル表示機器５００に対して情報を出力させることができる。
【００６７】
図９を参照して、実施形態の変形例１における、キーを跨いで２つ折り可能なキーボードＰＣ２００の構成を説明する。
【００６８】
実施形態の変形例１のキーボードＰＣ２００は、筐体ユニット２６０を構成する第１保持部２６１と第２保持部２６２を、入力ユニット２２０の中央部分のキー２２１を跨ぐようにして２つ折りさせる。例えば、２つ折りされたキー２２１は、Ｂの信号を演算ユニット１１０に入力可能なキー、及びＹの信号を演算ユニット１１０に入力可能なキーである（図３に示すキー１２１Ｇ・１２１Ｈの上下（Ｄｄ方向）に位置するキー）。第１保持部２６１と第２保持部２６２の境界部分に位置するキー２２１は、第１保持部２６１又は第２保持部２６２に保持されている。ヒンジ１６３は、第１保持部２６１と第２保持部２６２が隣り合う上方Ｄｈ１の境界部分を回転中心として、第１保持部２６１と第２保持部２６２を開閉させる。第１保持部２６１と第２保持部２６２を閉めた状態において、境界部分に位置するキー２２１が外方に露出しないように、カバー２６４が設けられている。カバー２６４は、第１保持部２６１と第２保持部２６２が隣り合う下方Ｄｈ２の境界部分において、第１保持部２６１と第２保持部２６２の開閉に追随するように、伸縮可能に構成されている。
【００６９】
実施形態の変形例１によれば、第１保持部２６１と第２保持部２６２は、第１保持部２６１と第２保持部２６２の接続部でキー２２１を跨いで開閉される。このような構成のキーボードＰＣ１００によれば、ユーザが従来のノートパソコン等と同様の配置と形状のキー２２１を使用してキー入力を行うことができる。
【００７０】
図１０を参照して、実施形態の変形例２における、右側と左側を中央に折り畳むように３つ折り可能なキーボードＰＣ３００の構成を説明する。
【００７１】
実施形態の変形例２のキーボードＰＣ３００は、筐体ユニット３６０を構成する第１保持部３６１、第２保持部３６２及び第３保持部３６３を、横幅方向Ｄｗに沿って並べて構成している。第２保持部３６２の横幅は、第１保持部３６１と第３保持部３６３のそれぞれ約２倍である。第１ヒンジ３６４は、第１保持部３６１と第２保持部３６２が隣り合う上方Ｄｈ１の境界部分を回転中心として、第１保持部３６１を第２保持部３６２に対して開閉させる。第２ヒンジ３６５は、第２保持部３６２と第３保持部３６３が隣り合う上方Ｄｈ１の境界部分を回転中心として、第３保持部３６３を第２保持部３６２に対して開閉させる。
【００７２】
実施形態の変形例２によれば、第１保持部３６１と第３保持部３６３を合わせた横幅を備えた第２保持部３６２の内部に、相対的に横幅方向Ｄｗに伸長した構成部材を収容することができる。構成部材とは、例えば、電池容量が相対的に大きい二次電池である。二次電池は、電池特性上、開閉可能に折り畳むことが非常に難しい。
【００７３】
なお、本発明は上記実施形態そのままに限定されるものではなく、実施段階ではその要旨を逸脱しない範囲で構成要素を変形して具体化できる。又、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００７４】
電子機器は、携帯容易としていることから使用が想定されるエリアが広いため、業務用として使用する仕事モードと、個人用として使用する余暇モードとを選択可能な構成としてもよい。電子機器は、ハードウエアの機能を最小限度に留めつつ、遠隔のサーバーによって演算処理やデータ格納を行うＴｈｉｎ  Ｃｌｉｅｎｔモードを選択可能な構成としてもよい。電子機器は、入力ユニットを、Ｂｌｕｅｔｏｏｔｈ形式のキーボードとして機能させて、スマートフォン等の情報携帯端末用のキーボードとして使用可能な構成としてもよい。電子機器は、メール等や特定の情報を受信したときに、振動や音声によってユーザに報知可能な構成としてもよい。電子機器は、通話可能な構成としてもよい。電子機器は、筐体ユニット等に耳を付けて骨振動によって相手側の音声を認識可能な構成としてもよい。電子機器は、メモリーを備えたウェアラブル表示機器にデータを格納させる構成としてもよい。電子機器は、発電用の太陽光パネルを設け、電源ユニットに充電する構成としてもよい。特に、電子機器は、太陽光パネルによって演算ユニット及びアンテナユニットを作動可能な最低限度の電力を得て起動し、その電子機器の現在位置をユーザに報知する機能を備えてもよい。電子機器は、筐体ユニットを接触又は近接させると、電源ユニットが充電される充電クレードルを備える構成としてもよい。電子機器は、筐体ユニットに電子決済可能なＩＣチップを付加し、店舗等において支払機器に近づけることによって会計処理を行う構成を備えてもよい。電子機器は、筐体ユニットを閉じた状態において、デジタイザペンによって筐体ユニットの表面にメモ書きのように情報が入力できる機能を備えてもよい。
【００７５】
電子機器は、軟らかく平坦ではない膝の上等に載置して使用する場合であっても、キー入力に支障が及ばないように、筐体ユニットを開いた状態を維持する機能を備えてもよい。電子機器は、搬送するときや使用していないときに収容可能な収容用具を備えてもよい。特に、収容用具は、ボトムカバーを膝の形状にする等、電子機器が落下し難い構成にすることができる。電子機器は、印刷可能なドングルを付属又は内蔵する機能を備えてもよい。特に、電子機器を外出先で使用する場合に、商談時等にメモ書きした内容を印刷して保管することができる。電子機器は、電源ユニットの二次電池を着脱式にして、外出先において充電場所が無い場合等に、二次電池を交換して使用する構成してもよい。電子機器は、特定の条件を満たした場合に、所定のデザインや音声を外部に向かって報知する構成を備えてもよい。電子機器は、筐体ユニットから外方に向かって伸縮可能に構成され、ディスプレイやスマートフォン等を載置可能な載置台を備えてもよい。電子機器は、入力ユニットを上下に２つ折りして細くして収容可能としたり、どちらか半分を回転させて収容可能としたりして構成してもよい。電子機器は、筐体ユニットの背面側を鏡面に構成してもよい。
【００７６】
電子機器は、ウェアラブル表示機器に備えられたカメラに対してジェスチャーを行って入力又は操作可能な構成としてもよい。電子機器は、筐体ユニットを振ることによって操作可能な構成としてもよい。例えば、電子機器は、筐体ユニットを一度振ると再生又は停止し、二度振ると早送り等の操作が可能に構成してもよい。電子機器は、拡張現実（ＡＲ）画面のウェアラブル表示機器の表示において、頭を動かしても見えている位置を固定したり、頭がぶれても補正しても画面を固定したり、頭が前に動くと拡大され頭が後ろに動くと縮小されたりする構成としてもよい。
【００７７】
電子機器は、接続されたウェアラブル表示機器のＩＤ等をチェックして、認証されたＩＤ等ではないと判断した場合、起動しない構成としてもよい。電子機器は、パスワードをキー入力させて、入力されたパスワードが認証されたものと判断された場合に、電源を起動させて、開いた状態においてキー入力を可能とする構成としてもよい。電子機器は、キーのプリントをウェアラブル表示機器のＡＲ画面に表示させ、ユーザがパスワードのキー入力を他人から視認されても、他人がキー入力された情報を理解できない構成としてもよい。電子機器は、閉じた状態において、生体認証の結果、適正なユーザでないと判断した場合、起動させなかったり、データを消去したり、所定の機器に報知したりする構成としてもよい。電子機器は、例えば、格子点を指先でなぞるように所定のパターンを入力することによって、セキュリティを解除する構成としてもよい。電子機器は、パスワードの正誤に関わらず、予め認証した特定のウェアラブル表示機器に接続した場合のみ、起動可能な構成としてもよい。
【符号の説明】
【００７８】
１００…キーボードＰＣ（電子機器）、１１０…演算ユニット、１２０…入力ユニット、１２１…キー、１２１Ｇ…キー、１２１Ｈ…キー、１２２…スペースキー、１２３…タッチパッド、１３０…出力ユニット、１３０ａ…出力端子、１４０…アンテナユニット、１４１…ＷｉＦｉアンテナ（アンテナエレメント）、１４２…ＬＴＥアンテナ（アンテナエレメント）、１５０…電源ユニット、１６０…筐体ユニット、１６１…第１保持部、１６１ａ…上面、１６１ｂ…第１突当部、１６１ｃ…左側面、１６１ｄ…第１緩衝部材、１６１ｅ…下面、１６１ｆ…脚部（最外部）、１６２…第２保持部、１６２ａ…上面、１６２ｂ…第２突当部、１６２ｃ…右側面（対向面）、１６２ｄ…第２緩衝部材、１６２ｅ…下面、１６２ｆ…脚部（最外部）、１６２ｇ…外部タッチパッド（操作部）、１６２ｈ…スロット用コネクター（挿入部）、１６２ｉ…カメラ（生体認証センサー）、１６２ｊ…前面、１６２ｋ…指紋センサー（生体認証センサー）、１６２ｌ…開閉センサー、１６２ｍ…左側面、１６２ｎ…電源ボタン、１６２ｐ…ＨＤＭＩ端子、１６２ｑ…ＨＰ端子、１６３…ヒンジ、２００…キーボードＰＣ、２２０…入力ユニット、２２１…キー、２６０…筐体ユニット、２６１…第１保持部、２６２…第２保持部、２６４…カバー、３００…キーボードＰＣ、３６０…筐体ユニット、３６１…第１保持部、３６２…第２保持部、３６３…第３保持部、３６４…第１ヒンジ、３６５…第２ヒンジ、５００…ウェアラブル表示機器（外部の表示機器）、５０１…ケーブル
【図１Ａ】
2020067958.tif 000003
【図１Ｂ】
2020067958.tif 000004
【図２Ａ】
2020067958.tif 000005
【図２Ｂ】
2020067958.tif 000006
【図３】
2020067958.tif 000007
【図４】
2020067958.tif 000008
【図５】
2020067958.tif 000009
【図６】
2020067958.tif 000010
【図７】
2020067958.tif 000011
【図８Ａ】
2020067958.tif 000012
【図８Ｂ】
2020067958.tif 000013
【図８Ｃ】
2020067958.tif 000014
【図９】
2020067958.tif 000015
【図１０】
2020067958.tif 000016